(57)【要約】【課題】携帯情報端末の支持を簡易な構造で実現するスタンド付き入力装置を提供する。【解決手段】スタンドは、携帯情報端末の表示部を有する面に対向する面を支持する端末背面支持部に対して略垂直に接続された面の一端側に形成され、携帯情報端末の底面を支持する端末底面支持部と端末底面支持部を有する面に対向する面に形成され、本体筐体と接触する第１本体接触部と、端末底面支持部を有する面の他端に形成され、本体筐体と接触する第２本体接触部を備え、本体筐体は、凹状に形成されてスタンドを収納可能であって、開口部がスタンドに支持された状態の携帯情報端末の横幅より狭く、第１本体接触部と接触してスタンドを支持する第１スタンド支持部と第１スタンド支持部よりも鉛直方向上側かつ対面するユーザ側に第２本体接触部と接触してスタンドを支持する第２スタンド支持部を有するスタンド収納部を備える。【選択図】図３
2015185108.tif 000002
【特許請求の範囲】
【請求項１】
略直方体形状を有し最大面積の面に表示部を有する携帯情報端末を支持するスタンドと、ユーザが対面して入力を行う入力部を有する本体筐体と、を含むスタンド付き入力装置であって、
前記スタンドは、
前記携帯情報端末の前記表示部を有する面に対向する面を支持する端末背面支持部と、
前記端末背面支持部に対して略垂直に接続された面の一端側に形成され、前記携帯情報端末の底面を支持する端末底面支持部と、
前記端末底面支持部を有する面に対向する面に形成され、前記本体筐体と接触する第１本体接触部と、
前記端末底面支持部を有する面の他端に形成され、前記本体筐体と接触する第２本体接触部とを備え、
前記本体筐体は、
凹状に形成されて前記スタンドを収納可能であって、開口部が前記スタンドに支持された状態の前記携帯情報端末の横幅より狭く、前記第１本体接触部と接触して前記スタンドを支持する第１スタンド支持部と、前記第１スタンド支持部よりも鉛直方向上側かつ対面するユーザ側に前記第２本体接触部と接触して前記スタンドを支持する第２スタンド支持部と、を有するスタンド収納部と、を備える、
ことを特徴とするスタンド付き入力装置。
【請求項２】
前記第２スタンド支持部を前記スタンド収納部の底面に対して斜めに形成することを特徴とする請求項１記載のスタンド付き入力装置。
【請求項３】
前記第２スタンド支持部を階段状に形成することを特徴とする請求項２記載のスタンド付き入力装置。
【請求項４】
前記第２スタンド支持部を摩擦係数の高い部材で形成することを特徴とする請求項２又は３記載のスタンド付き入力装置。
【請求項５】
前記スタンド収納部の底面を摩擦係数の低い部材で形成することを特徴とする請求項２から４の何れか１項に記載のスタンド付き入力装置。
【請求項６】
前記端末底面支持部の側面に突起を形成し、前記端末底面支持部の側面に対向する前記スタンド収納部の側面を前記突起と干渉する凹凸形状とすることを特徴とする請求項２から５の何れか１項に記載のスタンド付き入力装置。
【請求項７】
前記凹凸形状を形成する凹状部又は凸状部を前記第２スタンド支持部の傾斜に応じて設けることを特徴とする請求項６記載のスタンド付き入力装置。
【請求項８】
請求項１から７の何れか１項に記載のスタンド付き入力装置を備えた情報機器。
【請求項９】
略直方体形状を有し最大面積の面に表示部を有する携帯情報端末と、ユーザが対面して入力を行う入力部を有する入力装置と、を含む端末スタンドシステムであって、
前記携帯情報端末は、
筐体と、
前記筐体の少なくとも一端に前記筐体に対して略垂直に設けられ、前記携帯情報端末の底面を支持する端末支持部と、を備え、
前記端末支持部は、前記携帯情報端末の底面を支持する面に対向する面に形成され、前記入力装置と接触する第１接触部と、前記携帯情報端末の底面を支持する面の他端に形成され、前記入力装置と接触する第２接触部と、を有し、
前記入力装置は、
凹状に形成されて前記端末支持部を収納可能であって、開口部が前記端末支持部に支持された状態の前記携帯情報端末の横幅より狭く、前記第１接触部と接触して前記端末支持部を支持する第１支持部と、前記第１支持部よりも鉛直方向上側かつ対面するユーザ側に前記第２接触部と接触して前記端末支持部を支持する第２支持部と、を有する収納部と、を備える、
ことを特徴とする端末スタンドシステム。
【発明の詳細な説明】
【技術分野】
【０００１】
本発明は、スタンド付き入力装置、情報機器、及び、端末スタンドシステムに関する。
【背景技術】
【０００２】
近年、スマートフォンや携帯電話等の携帯情報端末の普及がめざましい。また、スマートフォン等の携帯情報端末をパーソナルコンピュータ（以下「ＰＣ」という。）と同時に使う機会も増えてきている。これら携帯情報端末は小型であるがゆえに携帯しやすい反面、小型であるがゆえにデスク等に無造作に放置されるとデスク上の美観を損ね、限られたデスク上のスペースを無駄に占有してしまう。
【０００３】
さらに、これらの携帯情報端末は一般的に薄型構造であるため自立させることが困難である。そこで、デスク上の省スペース化や、携帯情報端末を自立させるために、キーボードに携帯情報端末を自立させるスタンドを設けることが行われている。
【０００４】
上記に関し、特許文献１には、省スペース化と姿勢安定を目的としたカバーつきキーボードについて、ヒンジ機構によりカバーがキーボードと回動可能に接続され、カバーが携帯電話のスタンド代わりとなり、カバーを回動させることにより携帯電話の視認角度を調整する技術が開示されている。
【先行技術文献】
【特許文献】
【０００５】
【特許文献１】特開２０１２−１２８８８０号公報
【発明の概要】
【発明が解決しようとする課題】
【０００６】
しかし、従来の技術においては、例えばキーボードにスタンドを設ける場合、特許文献１のように取付部をヒンジ構造としてスタンドをキーボードに対して回動可能に角度調整できる構造となっているため、複雑な構造を要し、部品点数も多くなり、組み付け工程も多くなってしまう。
【０００７】
本発明は、このような実情に鑑みてなされたものであって、携帯情報端末の支持を簡易な構造で実現するスタンド付き入力装置を提供することを目的とする。
【課題を解決するための手段】
【０００８】
上記の課題を解決するため、本発明の情報処理装置は、略直方体形状を有し最大面積の面に表示部を有する携帯情報端末を支持するスタンドと、ユーザが対面して入力を行う入力部を有する本体筐体と、を含むスタンド付き入力装置であって、スタンドは、携帯情報端末の表示部を有する面に対向する面を支持する端末背面支持部と、端末背面支持部に対して略垂直に接続された面の一端側に形成され、携帯情報端末の底面を支持する端末底面支持部と、端末底面支持部を有する面に対向する面に形成され、本体筐体と接触する第１本体接触部と、端末底面支持部を有する面の他端に形成され、本体筐体と接触する第２本体接触部とを備え、本体筐体は、凹状に形成されてスタンドを収納可能であって、開口部がスタンドに支持された状態の携帯情報端末の横幅より狭く、第１本体接触部と接触してスタンドを支持する第１スタンド支持部と、第１スタンド支持部よりも鉛直方向上側かつ対面するユーザ側に第２本体接触部と接触してスタンドを支持する第２スタンド支持部と、を有するスタンド収納部と、を備えることを特徴とする。
【発明の効果】
【０００９】
本発明によれば、携帯情報端末の支持を簡易な構造で実現することができる。
【図面の簡単な説明】
【００１０】
【図１】本発明の実施形態におけるスタンド付き入力装置を備えた情報機器の概略図である。
【図２】本発明の実施形態におけるスタンド付き入力装置の概略図である。
【図３】本発明の実施形態におけるスタンド付き入力装置の概略断面図である。
【図４】本発明の実施形態におけるスタンド付き入力装置の概略機構図である。
【図５】本発明の実施形態における変形例に係るスタンド付き入力装置の概略図である。
【図６】本発明の実施形態における変形例に係るスタンド付き入力装置の概略図である。
【図７】本発明の実施形態における変形例に係るスタンド付き入力装置の概略図である。
【発明を実施するための形態】
【００１１】
本発明の実施形態におけるスタンド付き入力装置について図面を用いて以下説明する。なお、各図中、同一又は相当する部分には同一の符号を付しており、その重複説明は適宜に簡略化乃至省略する。以下の説明において、本実施形態におけるスタンド付き入力装置を備える情報機器としてのパーソナルコンピュータ（以下「ＰＣ」という。）を例に説明するが、本発明がＰＣにのみ適用されるものではないことはいうまでもない。
【００１２】
本実施形態におけるスタンド付き入力装置を備えるデスクトップ型のＰＣ１の概略について図１を参照して説明する。本実施形態におけるＰＣ１は、入力装置としてのキーボード１０と、表示装置であるディスプレイ２０と、本体部である筐体３０を含み構成されている。
【００１３】
キーボード１０は、略直方体形状を有し最大面積の面に表示部を有する携帯情報端末としての、例えばスマートフォン１００を支持するスタンド１１と、ユーザが対面して入力を行う入力部を有する本体筐体１０ｈを備えている。本実施形態において、スタンド１１はキーボード１０の後側の略中央部に設けられているが、一例であり、これに限定されるものではない。スタンド１１でスマートフォン１００を支持する具体的な構造について以下で説明する。なお、本実施形態においては、携帯情報端末としてスマートフォンを用いて説明しているが、これに限定されず、例えば、タブレット型ＰＣ、携帯電話、ＰＤＡ（Ｐｅｒｓｏｎａｌ  Ｄｉｇｉｔａｌ  Ａｓｓｉｓｔａｎｔ）、ポータブルナビゲーション、小型液晶テレビジョンなどに適用してもよい。
【００１４】
本実施形態におけるキーボード１０が備えるスタンド１１の構造について図２を参照して説明する。図２はキーボード１０とスタンド１１を上から見た上面図である。図２に示すように、本実施形態においては、スマートフォン１００をスタンド１１とキーボード１０の後面で挟持することでスマートフォン１００を支持する構造をとっている。スタンド１１は、スマートフォン１００の表示部を有する面に対向する面を支持する端末背面支持部１１ａと、端末背面支持部１１ａに対して略垂直に接続された面の一端側に形成され、スマートフォン１００の底面を支持する端末底面支持部１１ｂを備えている。スマートフォン１００をスタンド１１とキーボード１０とで支持する構成の詳細については後述する。
【００１５】
また、本体筐体１０ｈは、凹状に形成されてスタンド１１を収納可能であって、開口部が前スタンド１１に支持された状態のスマートフォン１００の横幅より狭いスタンド収納部１２を備える。スタンド収納部１２は、収納されるスタンド１１における端末底面支持部１１ｂの両側面に対向する左右壁１０ｄ、１０ｅと、端末底面支持部１１ｂの先端に対向する奥壁（後述する第２スタンド支持部１０ａ）、本図では不図示の上下壁により囲まれて構成されている。スマートフォン１００は、スタンド収納部１２の開口部よりはみ出した部分に対応する挟持部１０ｇ、１０ｇ’と、スタンド１１の端末背面支持部１１ａによって挟み込まれるようにして支持される。なお、スタンド１１は、使用されないときは、キーボード１１内部に設けられた凹部としての収納部１２に収納されるため、キーボード周辺の美観を損ねることがない。
【００１６】
次に、スマートフォン１００をスタンド１１とキーボード１０とで支持する構成の詳細について図３（ａ）を参照して説明する。図３（ａ）は、図２におけるＡ−Ａ’断面を示す概略断面図であり、図３（ｂ）は、図２におけるＢ−Ｂ’断面を示す概略断面図である。
【００１７】
図２において説明したように、スマートフォン１００はスタンド収納部１２の開口部よりはみ出した部分に対応する挟持部１０ｇ（１０ｇ’）と、スタンド１１の端末背面支持部１１ａによって挟み込まれるようにして支持される。これにより、ユーザは、スタンド１１とキーボード１０との間に生まれる隙間にスマートフォン１００を差し込むように据え置くという簡単な作業のみにより、スマートフォン１００を支持することができる。
【００１８】
次に、スマートフォン１００の角度調整機構について図３（ｂ）を参照して説明する。スタンド１１は、上述した構成に加え、端末底面支持部１１ｂを有する面に対向する面に形成され、本体筐体１０ｈと接触する第１本体接触部１１ｃと、端末底面支持部１１ｂを有する面の他端に形成され、本体筐体１０ｈと接触する第２本体接触部１１ｄを備える。なお、ここでの「第１」、「第２」は各接触部を区別するために形式的に用いたものであり、それ以外の意味を有するものではない。
【００１９】
また、スタンド収納部１２は、第１本体接触部１１ｃと接触してスタンド１１を支持する第１スタンド支持部１０ｆと、第１スタンド支持部１０ｆよりも鉛直方向上側かつ対面するユーザ側に第２本体接触部１１ｄと接触してスタンド１１を支持する第２スタンド支持部１０ａを備える。なお、ここでの「第１」、「第２」も、各スタンド支持部を区別するために形式的に用いたものであり、それ以外の意味を有するものではない。また、各スタンド支持部は、本図に示した１点のみの構成に限定されず、スタンド１１が支持される際に、スタンド１１の各本体接触部と接触する面、線で構成されるものであってもよい。
【００２０】
本実施形態では、第２スタンド支持部１０ａを、スタンド収納部１２の底面１０ｃに対して斜めに形成する。この構成により、スタンド１１をスタンド収納部１２から引き出してスマートフォン１００を支持する際、スタンド収納部１２の第１スタンド支持部１０ｆを支点として、端末底面支持部１１ｂの先端、つまり第２本体接触部１１ｄが第２スタンド支持部１０ａと当接する点が徐々に上方に変位し、端末底面支持部１１ｂと端末背面支持部１１ａとの接続点が下方になることで、スタンド１１の角度を調整することができる。よって、ユーザはスマートフォン１００のディスプレイに表示された画像等を見やすくすることを、スタンド１１を引き出すだけの簡単な操作で実現することが可能となる。
【００２１】
具体的には、例えば図３（ｂ）に示すように、本実施形態では第２スタンド支持部１０ａを階段状に形成することで上記動作を実現する。本実施形態において、階段状は斜め形状に含まれる概念とする。よって、斜め形状に含まれるものであれば、階段形状に限定されず、凹凸を斜めに設けた形状であってもよい。なお、本実施形態では、スタンド１１をスタンド収納部１２から引き出した際にスタンド１１が容易にぐらつかないように、例えば、第２本体接触部１１ｄが当接する第２スタンド支持部１０ａ又は上面１０ｂを摩擦係数の高い部材で形成してもよい。また、スタンド１１をスタンド収納部１２から引き出す際に引き出しやすいように、例えば、底面１０ｃを摩擦係数の低い部材で形成してもよい。なお、上述した第２スタンド支持部１０ａのように、第２本体接触部１１ｄが当接する面を、スタンド収納部１２の底面１０ｃに対して斜めに形成することに代えて、第２本体接触部１１ｄが当接する面を、スタンド収納部１２の底面１０ｃと平行に形成してもよい。このようにしても、ユーザはスマートフォン１００のディスプレイに表示された画像等を見やすくすることを、スタンド１１を後方に引き出すだけの簡単な操作で実現することが可能となる。
【００２２】
次に、上述した第２スタンド支持部１０ａを階段状に形成した例において、スタンド１１の引き出しに伴う角度調整を実現する機構について図４を参照して説明する。本実施形態では階段を３段としているが、一例であり、２段であっても、４段以上であってもよい。段の高さ及び幅を小さくし段数を多くすれば角度調整の滑らかさを向上させることができる。
【００２３】
図４（ａ）は、スタンド１１を、第２本体接触部１１ｄがまだ１段目にかかっている状態までしかスタンド収納部１２から引き出していない状態を示したものである。この状態では、スマートフォン１００がより直立に近い状態で支持される。よって、ユーザはスマートフォン１００のディスプレイに正対して表示画像を閲覧することができる。なお、本実施形態では、支持されたスマートフォン１００とキーボード１０に対する垂直線との角度を１０度としているが、正確な数値を示したものではなく、説明上の便宜を図るために仮に規定した角度にすぎない。
【００２４】
図４（ｂ）は、スタンド１１を、第２本体接触部１１ｄが２段目にかかるようにスタンド収納部１２から引き出した状態を示したものである。この状態は上述の図４（ａ）の状態より端末底面支持部１１ｂの角度がつけられるので、支持されるスマートフォン１００の角度は図４（ａ）の状態より斜めになっている。これにより、例えば、ユーザがＰＣ１の置かれたデスクに着いたとき、スマートフォン１００のディスプレイを見下ろすような状態となったときの画面の見易さを向上することができる。なお、本実施形態では、スマートフォン１００とキーボード１０に対する垂直線との角度を２０度としているが、正確な数値を示したものではなく、説明上の便宜を図るために仮に規定した角度にすぎない。
【００２５】
図４（ｃ）は、スタンド１１を、第２本体接触部１１ｄが３段目にかかるようにスタンド収納部１２から引き出した状態を示したものである。この状態は上述の図４（ｂ）の状態よりさらに端末底面支持部１１ｂの角度がつけられるので、支持されるスマートフォン１００の角度も図４（ｂ）の状態よりさらに斜めになっている。これにより、例えば、長身のユーザがＰＣ１の置かれたデスクに着いたとき、スマートフォン１００のディスプレイを見下ろすような状態となったときの画面の見易さを向上することができる。なお、本実施形態では、スマートフォン１００とキーボード１０に対する垂直線との角度を３０度としているが、正確な数値を示したものではなく、説明上の便宜を図るために仮に規定した角度にすぎない。
【００２６】
［変形例１］
次に、本実施形態におけるスタンド付き入力装置の変形例１に係る構成について図５を参照して説明する。上述した本実施形態では、第２スタンド支持部１０ａを階段状に形成したが、本変形例１では第２スタンド支持部１０ａ’を、図のように斜め形状とする。階段形状ではスタンド１１を収納部１２から引き出す際に、各段部へ移行する際に多少の衝撃は否めないことになるが、本変形例１のように斜め形状とすることにより、スタンド１１引き出し時における衝撃を和らげることができるという効果がある。
【００２７】
［変形例２］
次に、本実施形態におけるスタンド付き入力装置の変形例２に係る構成について図６を参照して説明する。上述した第２スタンド支持部１０ａのように階段状とした場合、スタンド１１がスタンド収納部１２から引き出しにくくなることも想定される。本変形例２ではこの引き出しにくさを逆に利用することとする。スタンド１１の端末底面支持部１１ｂの両側面先端部に突起１３ａを設け、端末底面支持部１１ｂの両側面に対向するキーボード１０の左右壁１０ｄ、１０ｅを凹凸形状とする。具体的には、例えば図６（ａ）に示すように、凹凸形状として、左右壁１０ｄ、１０ｅに突起１３ａと干渉する複数の突起１３ｂを設ける。本変形例のように、各突起を丸みを帯びた形状とすることにより、突起１３ａと突起１３ｂがお互いに噛み合うことで、スタンド１１の角度切換を、突起同士の干渉による引き出しにくさの感覚でユーザが認識することができる。なお、スタンド１１を引き出しやすくするため、突起１３ａ又は突起１３ｂの何れか又は両方を端末底面支持部１１ｂやキーボード１０の内部に引っ込むように伸縮可能に可動するように構成してもよい。例えば、突起１３ａの内部にバネ等の弾性体を設け、突起１３ｂと干渉するときは、バネが縮むことで突起１３ａが端末底面支持部１１ｂの内部に引っ込み、突起１３ｂから解放されるときは、バネが伸びることで突起１３ａが端末底面支持部１１ｂの内部から飛び出すようにすればよい。
【００２８】
図６（ｂ）は、図６（ａ）における突起１３ａ、１３ｂに代えて、例えば、端末底面支持部１１ｂの両側面先端部に山形状の突起１４ａを設け、これと干渉する山形の突起１４ｂを左右壁１０ｄ、１０ｅに設けたものである。図６（ｂ）は、図６（ａ）の構造より構造が単純化されるため、端末底面支持部１１ｂやスタンド収納部１２の加工がしやすくなるという効果がある。
【００２９】
図６（ｃ）は、図６（ａ）における突起１３ａ、１３ｂに代えて、例えば、端末底面支持部１１ｂの両側面先端部に飛び出し式の突起１５ａを設け、これと干渉する凹凸部１５ｂを左右壁１０ｄ、１０ｅに設けたものである。突起１５ａは、端末底面支持部１１ｂとの接続部内部にバネを設けることで、スタンド１１引き出し時等に凹凸部１５ｂの凸部と干渉する際に端末底面支持部１１ｂの内部Ｃ、Ｃ’方向に押し込まれ、凹部と干渉する際は端末底面支持部１１ｂの内部からバネの張力によって飛び出して、凹部に引っ掛かることになる。これにより、スタンド１１のスタンド収納部１２からの引き出しがよりスムーズになるとともに、凹凸形状によりスタンド１１のガタツキを低減することができるという効果がある。
【００３０】
なお、上記変形例２において、左右壁１０ｄ、１０ｅｅに設ける凹凸形状を形成する凹状部又は凸状部を第２スタンド支持部１０ａの傾斜に応じて設けることとしてもよい。これにより、例えば第２スタンド支持部１０ａを階段形状とした場合において、段差の切り換え動作と突起の干渉が連動するため、スタンド１１をスタンド収納部１２から引き出しやすく、かつ、スタンド１１のガタツキを一段と防止することが可能となる。
【００３１】
［変形例３］
次に、本実施形態におけるスタンド付き入力装置の変形例３に係る構成について図７を参照して説明する。上述では、スタンド１１はキーボード１０が備える構成として説明したが、本変形例３では、スタンドをスマートフォン１１０側に設ける構成としている。具体的には、図７に示すように、スマートフォン１１０筐体の一端となる筐体底部に筐体に対して略垂直に、スマートフォン１１０の底面を支持する端末支持部としてのプレート１１１を設けるものである。プレート１１１は、スマートフォン１１０の底面を支持する面に対向する面に形成され、キーボード１５０と接触する第１接触部１１１ｃと、スマートフォン１１０の底面を支持する面の他端に形成され、キーボード１５０と接触する第２接触部１１１ｄを備えている。キーボード１５０は、上述した本実施形態におけるキーボード１０と同様の構成であるため説明を省略するが、本変形例３では、上述した本実施形態における第１スタンド支持部１０ｆに相当する構成を第１支持部１５０ｆとし、第２スタンド支持部１０ａに相当する構成を第２支持部１５０ａとしている。本変形例３によれば、プレート１１１とスマートフォン１１０筐体とが一体化されることで、上述した本実施形態のような端末背面支持部１１ａが不要となり、スマートフォン１１０自らがスタンドを構成する役割の一つを担うことになるため、上述したスタンド１１を別途設ける場合と比較して、より簡易な構造のスタンドシステムを構築することができる。
【符号の説明】
【００３２】
１    ＰＣ
１０、１５０    キーボード
１０ａ    第２スタンド支持部
１０ｂ    上面
１０ｃ    底面
１０ｄ、１０ｅ    左右壁
１０ｆ    第１スタンド支持部
１０ｇ    挟持部
１１    スタンド
１１ａ    端末背面支持部
１１ｂ    端末底面支持部
１２    スタンド収納部
１３ａ、１３ｂ、１４ａ、１４ｂ、１５ａ    突起
１５ｂ  凹凸部
２０    ディスプレイ
３０    筐体
１００、１１０    スマートフォン
１１１    プレート
１１１ｃ    第１接触部
１１１ｄ    第２接触部
１５０ａ    第２支持部
１５０ｆ    第１支持部
【図１】
2015185108.tif 000003
【図２】
2015185108.tif 000004
【図３】
2015185108.tif 000005
【図４】
2015185108.tif 000006
【図５】
2015185108.tif 000007
【図６】
2015185108.tif 000008
【図７】
2015185108.tif 000009